(57)【要約】【課題】洗浄対象となる容器の洗浄効率を十分に高いものにすることができる洗浄方法を提供すること。【解決手段】洗浄対象となる希釈容器４０の内部にノズル１０を進入させ、上記希釈容器４０の内部に洗浄液ＷＬを注入して洗浄する容器の洗浄方法において、上記希釈容器４０の内部と外部との間で上記ノズル１０が往復移動する態様で上記ノズル４０および上記希釈容器４０の少なくとも一方を移動させることにより、上記希釈容器４０の内部に注入した洗浄液ＷＬの液位を変動させて上記希釈容器４０の内部を洗浄するものである。【選択図】      図７
2005034769.tif 000002
【特許請求の範囲】
【請求項１】
洗浄対象となる容器の内部にノズルを進入させ、前記容器の内部に洗浄液を注入して洗浄する容器の洗浄方法において、
前記容器の内部と外部との間で前記ノズルが往復移動する態様で前記ノズルおよび前記容器の少なくとも一方を移動させることにより、前記容器の内部に注入した洗浄液の液位を変動させて前記容器の内部を洗浄することを特徴とする容器の洗浄方法。
【請求項２】
前記ノズルが前記容器の内部に進入した場合に、前記容器の内部の洗浄に供された洗浄液を吸出することを特徴とする請求項１に記載の容器の洗浄方法。
【発明の詳細な説明】
【技術分野】
【０００１】
本発明は、容器の洗浄方法に関し、より詳細には、例えば検体や試薬等を水で希釈するために用いられる希釈容器の洗浄方法に関する。
【背景技術】
【０００２】
従前より、例えば検体や試薬等を水で希釈するために用いられる希釈容器が知られている。このような希釈容器に対しては、図８に示したような洗浄装置により以下のような洗浄方法で洗浄を行っていた。
【０００３】
図８は、従来の洗浄装置を希釈容器に適用した状態を拡大して簡略的に示したものであり、その一部を断面で表した拡大断面側面図である。この図８において、洗浄装置は、ノズル１００と、内部液吸出手段２００と、洗浄液注入手段３００とを備えて構成されている。
【０００４】
ノズル１００は、その一部が希釈容器４００の内部に進入するためのものであり、ノズル本体１１０と、吸出配管１２０と、注入配管１３０とを備えて構成されている。ノズル本体１１０は、吸出配管１２０や注入配管１３０の一部を内包しており、支持アーム１６０を介して図示しない駆動手段に接続されている。この駆動手段は、詳細は後述するが、ノズル１００を上下方向に沿って移動、すなわち希釈容器４００の内部に向かって進退移動させるためのものである。また、ノズル本体１１０には、その中央部分に径外方向に突出する突出部１４０が形成されている。突出部１４０は、詳細は後述するが、希釈容器４００の開口部４２０を覆うためのものである。
【０００５】
吸出配管１２０は、第１吸出配管１２０ａと、第２吸出配管１２０ｂとを備えて構成されている。第１吸出配管１２０ａは、上下方向に沿って延設され、その先端部１２１ａがノズル本体１１０の下部１１１ａから突出している。この第１吸出配管１２０ａの先端部１２１ａには、溝部１２１ｂが形成されているとともに、該溝部１２１ｂに開口する吸出口１８０ａが形成されている。第２吸出配管１２０ｂは、第１吸出配管１２０ａの配設方向とは直交する方向に沿って延設されている。この第２吸出配管１２０ｂは、第１吸出配管１２０ａの基端と連通している。
【０００６】
注入配管１３０は、第１注入配管１３０ａと、第２注入配管１３０ｂとを備えて構成されている。第１注入配管１３０ａは、第１吸出配管１２０ａの一部の周囲を覆う態様で上下方向に沿って延設され、ノズル本体１１０に形成された複数の注入口１８０ｂに連通している。第２注入配管１３０ｂは、第１注入配管１３０ａの配設方向とは直交する方向に沿って延設されている。この第２注入配管１３０ｂは、第１注入配管１３０ａの基端と連通している。
【０００７】
以上説明したように、ノズル１００は、支持アーム１６０を介して駆動手段により上下方向に沿って移動可能に配設されている。そして、ノズル１００が進出移動（下降移動）した場合に、突出部１４０より下方側（先端側）の領域が希釈容器４００の内部に進入する進入領域になる。
【０００８】
内部液吸出手段２００は、第２吸出配管１２０ｂに接続されている。この内部液吸出手段２００は、吸出口１８０ａを通じて希釈容器４００の内部にある内部液を吸出するものである。
【０００９】
洗浄液注入手段３００は、第２注入配管１３０ｂに接続されている。この洗浄液注入手段３００は、注入口１８０ｂを通じて希釈容器４００の内部に洗浄液を噴射しながら注入するものである。
【００１０】
次に、上記洗浄装置を用いての希釈容器４００の洗浄方法について説明する。図９は、図８における洗浄装置が希釈容器の内部を洗浄する場合のタイムチャートである。
【００１１】
前提として、希釈容器４００の内部の洗浄を行う前には、ノズル１００は、希釈容器４００の上方にある所定の待機位置に位置している（時点Ｔ０）。このとき、希釈容器４００の内部には、例えば検体や試薬等を水で希釈した希釈液（内部液の一つ）がある。
【００１２】
駆動手段が駆動することにより、ノズル１００は、所定の待機位置から希釈容器４００の内部に向かって進出移動する（時点Ｔ１）。これにより、ノズル１００は、希釈容器４００の内部に進入する。また、この時点Ｔ１においては、内部液吸出手段２００も駆動する。だが、この時点Ｔ１では、第１吸出配管１２０ａの先端部１２１ａが希釈液に浸漬していないので、該希釈液を吸出することはできない。
【００１３】
進出移動するノズル１００の第１吸出配管１２０ａの先端部１２１ａが、希釈液に浸漬したとき、内部液吸出手段２００が吸出口１８０ａを通じて希釈液を吸出する（時点Ｔ２）。吸出された希釈液は、第１吸出配管１２０ａおよび第２吸出配管１２０ｂを流れた後に所定の個所に排出されることになる。
【００１４】
そして、進出移動するノズル１００が下死点に到達したとき、駆動手段が駆動を停止してノズル１００の進出移動は停止する（時点Ｔ３）。このとき、洗浄液注入手段３００が駆動し、注入口１８０ｂを通じて希釈容器４００の内部に洗浄液を噴射しながら注入する。つまり、洗浄液は、第２注入配管１３０ｂおよび第１注入配管１３０ａを流れた後に注入口１８０ｂから希釈容器４００の内部に噴射注入される。これにより、希釈容器４００の内部は、噴射注入された洗浄液により洗浄することができる。一方、内部液吸出手段２００は駆動しつづけ、洗浄液注入手段３００により噴射注入された洗浄液を含む内部液を吸出する。
【００１５】
洗浄液注入手段３００は、洗浄液の注入が予め決められた時間を超えたとき、駆動を停止する（時点Ｔ４）。これにより、希釈容器４００の内部への洗浄液の噴射注入は停止する。この時点Ｔ４において、駆動手段が再び駆動することにより、ノズル１００が待機位置に向かって退避移動（上昇移動）する。このとき、内部液吸出手段２００は、駆動しつづけている。
【００１６】
退避移動するノズル１００の第１吸出配管１２０ａの先端部１２１ａが、希釈液から離れたとき、内部液吸出手段２００による吸出口１８０ａを通じての希釈液の吸出は停止する（時点Ｔ５）。
【００１７】
そして、退避移動するノズル１００が待機位置に到達したとき、駆動手段が駆動を停止してノズル１００の退避移動は停止する（時点Ｔ６）。また、この時点Ｔ６において、内部液吸出手段２００も駆動を停止する。これにより、上記洗浄装置による希釈容器４００の内部の洗浄は終了する。
【発明の開示】
【発明が解決しようとする課題】
【００１８】
ところが、上記洗浄方法では、つねに内部液を吸出しながら希釈容器４００の内部を洗浄していたので、多量の洗浄液を必要とする結果、洗浄効率が十分に高いものにならない、という問題があった。尚、ここでは、希釈容器についての洗浄方法について説明したが、かかるものに限定される必要はなく、他の容器の洗浄方法についても同様の問題がある。
【００１９】
本発明は、上記実情に鑑みて、洗浄対象となる容器の洗浄効率を十分に高いものにすることができる洗浄方法を提供することを目的とする。
【課題を解決するための手段】
【００２０】
上記目的を達成するために、本発明の請求項１に係る容器の洗浄方法は、洗浄対象となる容器の内部にノズルを進入させ、前記容器の内部に洗浄液を注入して洗浄する容器の洗浄方法において、前記容器の内部と外部との間で前記ノズルが往復移動する態様で前記ノズルおよび前記容器の少なくとも一方を移動させることにより、前記容器の内部に注入した洗浄液の液位を変動させて前記容器の内部を洗浄することを特徴とする。
【００２１】
また、本発明の請求項２に係る容器の洗浄方法は、上記の請求項１において、前記ノズルが前記容器の内部に進入した場合に、前記容器の内部の洗浄に供された洗浄液を吸出することを特徴とする。
【発明の効果】
【００２２】
請求項１に記載の発明によれば、容器の内部と外部との間でノズルが往復移動する態様で上記ノズルおよび上記容器の少なくとも一方を移動させることにより、上記容器の内部に注入した洗浄液の液位を変動させて容器の内部を洗浄するので、つねに内部液を吸出する必要がなく、洗浄に要する洗浄液の量を低減させることができる。従って、洗浄効率を十分に高いものにすることができるという効果を奏する。
【００２３】
また、請求項２に記載の発明によっても、容器の内部と外部との間でノズルが往復移動する態様で上記ノズルおよび上記容器の少なくとも一方を移動させることにより、上記容器の内部に注入した洗浄液の液位を変動させて容器の内部を洗浄するので、つねに内部液を吸出する必要がなく、洗浄に要する洗浄液の量を低減させることができる。従って、洗浄効率を十分に高いものにすることができるという効果を奏する。
【発明を実施するための最良の形態】
【００２４】
以下に添付図面を参照して、本発明に係る容器の洗浄方法の好適な実施例を詳細に説明する。尚、以下においては、説明の便宜上、例えば検体や試薬等を水で希釈するために用いられる希釈容器を洗浄するための洗浄方法について説明する。
【実施例】
【００２５】
まず、本発明の実施例に係る洗浄方法を実施するための洗浄装置について説明する。図１は、本発明の実施例に係る洗浄方法を実施するための洗浄装置を希釈容器に適用した状態を拡大して簡略的に示したものであり、その一部を断面で表した拡大断面側面図である。この図１において、洗浄装置は、ノズル１０と、内部液吸出手段２０と、洗浄液注入手段３０とを備えて構成してある。
【００２６】
ノズル１０は、その一部が希釈容器４０の内部に進入するためのものであり、ノズル本体１１と、吸出配管１２と、注入配管１３とを備えて構成してある。ノズル本体１１は、略柱状の形状を成しており、その先端部１１ａが半球状の形状を成している。ここに、先端部１１ａの半径は、希釈容器４０の内底部４１の半径よりも小さくしてある。また、ノズル本体１１は、吸出配管１２および注入配管１３を内包している。このようなノズル本体１１には、その中央部分に径外方向に突出する突出部１４が形成してある。突出部１４は、詳細は後述するが、希釈容器４０の開口部４２を覆うためのものである。この突出部１４は、弾性部材１５を介して支持アーム１６に接続してある。支持アーム１６は、図示しない駆動手段に接続してある。つまり、ノズル本体１１は、その突出部１４において、弾性部材１５および支持アーム１６を介して駆動手段に接続してある。この駆動手段は、詳細は後述するが、ノズル１０を上下方向に沿って移動、すなわち希釈容器４０の内部に向かって進退移動させるためのものである。尚、突出部１４には、外周の一部が切り欠かれている（図示せず）。この切り欠きによって、希釈容器４０の開口部４２が突出部１４に覆われた場合でも、希釈容器４０の内部と外気とが連通した状態になり、後述する洗浄液等の注入・吸出の際に、希釈容器４０の内外での空気のやり取りが行われ、注入・吸出動作がスムーズに行われることになる。
【００２７】
また、ノズル本体１１には、突出部１４の先端側面（下面）に連なる態様でテーパー部１７が形成してある。テーパー部１７は、詳細は後述するが、突出部１４の先端側近傍の個所において、ノズル本体１１（ノズル１０）の基端側、すなわち突出部１４に向かって外径が漸次大きくなっている。このテーパー部１７の最大外径は、図１に示したように、希釈容器４０の開口部４２の内径と略等しい大きさである。
【００２８】
吸出配管１２は、ノズル本体１１の中心軸１１ｃから僅かにずれた領域において上下方向に沿って延設してある。この吸出配管１２は、ノズル本体１１の先端部１１ａにおける中心軸１１ｃと交差する部位、すなわち希釈容器４０の内底部４１と当接する部位（以下、当接部位ともいう）１１ｄの周辺部分に形成された吸出口１８ａに連通している。
【００２９】
注入配管１３は、ノズル本体１１の中心軸１１ｃを介して上記吸出配管１２と線対称となる領域において上下方向に沿って延設してある。この注入配管１３は、ノズル本体１１の先端部１１ａに中心軸１１ｃを介して吸出口１８ａと線対称となる個所に形成された注入口１８ｂに連通している。つまり、吸出口１８ａおよび注入口１８ｂは、ノズル本体１１の先端部１１ａにおける希釈容器４０の内底部４１と当接する部位の周辺部分に形成してある。
【００３０】
以上説明したように、ノズル１０は、支持アーム１６を介して駆動手段により上下方向に沿って移動可能、すなわち希釈容器４０の内部に進退移動可能に配設してある。そして、ノズル１０が進出移動（下降移動）した場合には、突出部１４より先端部１１ａ側（下方側）の領域が希釈容器４０の内部に進入する進入領域になる。このようなノズル１０は、進入領域におけるノズル１０（ノズル本体１１）の外側面が希釈容器４０の内側面に均一に近接するよう、その外径が希釈容器４０の内径よりも僅かに小さいものである。
【００３１】
内部液吸出手段２０は、吸出配管１２に接続してある。この内部液吸出手段２０は、吸出口１８ａを通じて希釈容器４０の内部にある内部液を吸出するものである。
【００３２】
洗浄液注入手段３０は、注入配管１３に接続してある。この洗浄液注入手段３０は、注入口１８ｂを通じて希釈容器４０の内部に洗浄液を注入するものである。
【００３３】
次に、本発明の実施例に係る洗浄方法について説明する。図２〜図６は、図１における洗浄装置が希釈容器の内部を洗浄する状態を概略的に示した概略図であり、図７は、図１における洗浄装置が希釈容器の内部を洗浄する場合のタイムチャートである。これらの図２〜図７を用いて洗浄方法について説明することにする。
【００３４】
前提として、希釈容器４０の内部の洗浄を行う前には、ノズル１０は、図２に示したように、希釈容器４０の上方にある所定の待機位置に位置している（時点ｔ０）。このとき、希釈容器４０の内部には、例えば検体や試薬等を水で希釈した希釈液ＤＬ（内部液の一つ）がある。
【００３５】
駆動手段が駆動することにより、ノズル１０は、所定の待機位置から希釈容器４０の内部に向かって進出移動する（時点ｔ１）。これにより、ノズル１０は、希釈容器４０の開口部４２を通って該希釈容器４０の内部に進入する。また、この時点ｔ１において、内部液吸出手段２０も駆動する。だが、この時点ｔ１では、ノズル本体１１の先端部１１ａが希釈液ＤＬに浸漬していないため、希釈液ＤＬを吸出することはできない。
【００３６】
進出移動するノズル１０の先端部１１ａが、図３に示したように、希釈液ＤＬに浸漬したとき、内部液吸出手段２０が吸出口１８ａを通じて希釈液ＤＬを吸出する（時点ｔ２）。ここに、内部液吸出手段２０による単位時間当たりの希釈液ＤＬの吸出量は、後述するノズル１０が下死点に到達する時点ｔ３までの間に希釈液ＤＬを完全に吸出することができる大きさである。このように吸出された希釈液ＤＬは、吸出配管１２を流れた後に所定の個所に排出されることになる。
【００３７】
そして、進出移動するノズル１０が、図４に示したように、下死点に到達したとき、すなわちノズル１０の先端部１１ａの当接部位１１ｄが希釈容器４０の内底部４１に当接したとき、駆動手段が駆動を停止してノズル１０の進出移動は停止する（時点ｔ３）。このとき、内部液吸出手段２０も駆動を停止して希釈液ＤＬの吸出は停止する。その一方、この時点ｔ３において、洗浄液注入手段３０が駆動し、注入口１８ｂを通じて希釈容器４０の内部に洗浄液ＷＬを注入する。つまり、洗浄液ＷＬは、注入配管１３を流れた後に注入口１８ｂから希釈容器４０の内部に注入される。これにより、希釈容器４０と、進出移動したノズル１０とにより形成された間隙Ｄを洗浄液ＷＬが流れることになる。その結果、間隙Ｄにおいて、注入された洗浄液ＷＬの液位は上昇する。
【００３８】
ここで、下死点に到着したノズル１０は、その中心軸１１ｃが希釈容器４０の内部の中心軸に一致している。これにより、形成された間隙Ｄは、ノズル１０の全周にわたって均一な大きさになる。ところで、上述したノズル１０の進出移動において、ノズル１０の位置が所望の位置にない場合、すなわちノズル１０の中心軸１１ｃが希釈容器４０の内部の中心軸と一致していない場合には、テーパー部１７の傾斜面が希釈容器４０の開口部４２の内縁部に接することにより、ノズル１０が下死点に到達したときに所望の位置に位置するよう補正することができる。
【００３９】
洗浄液ＷＬが間隙Ｄを流れる結果、図５に示したように、該間隙Ｄを充たしたとき、すなわち洗浄液ＷＬの液位が開口部４２近傍まで上昇したとき、洗浄液注入手段３０が駆動を停止して洗浄液ＷＬの注入は停止する（時点ｔ４）。また、この時点ｔ４において、駆動手段が再び駆動することにより、ノズル１０が待機位置に向かって退避移動（上昇移動）する。これにより、洗浄液ＷＬの液位は下降する。
【００４０】
退避移動するノズル１０が、図６に示したように、待機位置に到達すると退避移動は停止し、再び希釈容器４０の内部に向かって進出移動する（時点ｔ５）。進出移動するノズル１０が下死点に到達して、洗浄液ＤＬの液位が再び上昇して間隙Ｄを充たしたとき（図５に示した状態と同じような状態になったとき）、内部液吸出手段２０が駆動して吸出口１８ａを通じて内部液の一つである洗浄液ＷＬ（以下、使用済洗浄液ＷＬともいう）を吸出する（時点ｔ６）。このように吸出された使用済洗浄液ＷＬは、吸出配管１２を流れた後に所定の個所に排出されることになる。
【００４１】
使用済洗浄液ＷＬを完全に吸出したとき（図４に示した状態と同じような状態になったとき）、内部液吸出手段２０が駆動を停止して使用済洗浄液ＷＬの吸出を停止する一方、洗浄液注入手段３０が駆動して注入口１８ｂを通じて希釈容器４０の内部に洗浄液ＷＬを注入する（時点ｔ７）。これにより、注入された洗浄液ＷＬの液位は上昇する。
【００４２】
注入した洗浄液ＷＬの液位が上昇して間隙Ｄを充たしたとき（図５に示した状態と同じような状態になったとき）、洗浄液注入手段３０が駆動を停止して洗浄液ＷＬの注入は停止する一方、駆動手段が再び駆動することにより、ノズル１０が待機位置に向かって退避移動する（時点ｔ８）。これにより、洗浄液ＷＬの液位は下降する。
【００４３】
退避移動するノズル１０が待機位置に到達すると退避移動は停止し、再び希釈容器４０の内部に向かって進出移動する（時点ｔ９）。また、この時点ｔ９において、内部液吸出手段２０も駆動する。だが、時点ｔ９では、ノズル本体１１の先端部１１ａが使用済洗浄液ＷＬに浸漬していないため、使用済洗浄液ＷＬを吸出することはできない。
【００４４】
進出移動するノズル１０の先端部１１ａが使用済洗浄液ＷＬに浸漬したとき（図３に示した状態と同じような状態になったとき）、内部液吸出手段２０が吸出口１８ａを通じて使用済洗浄液ＷＬを吸出する（時点ｔ１０）。ここに、内部液吸出手段２０による単位時間当たりの使用済洗浄液ＷＬの吸出量は、後述するノズル１０が下死点に到達する時点ｔ１１までの間に使用済洗浄液ＷＬを完全に吸出することができる大きさである。
【００４５】
進出移動するノズル１０が下死点に到達したとき（図４に示した状態と同じような状態になったとき）、駆動手段が駆動を停止してノズル１０の進出移動は停止する（時点ｔ１１）。このとき、内部液吸出手段２０も駆動を停止して使用済洗浄液ＷＬの吸出は停止する。その一方、この時点ｔ１１において、洗浄液注入手段３０が駆動し、注入口１８ｂを通じて希釈容器４０の内部に洗浄液ＷＬを注入する。これにより、間隙Ｄにおいて注入された洗浄液ＷＬの液位は上昇する。
【００４６】
注入した洗浄液ＷＬの液位が開口部４２近傍まで上昇して間隙Ｄを充たしたとき（図５に示した状態と同じような状態になったとき）、洗浄液注入手段３０が駆動を停止して洗浄液ＷＬの注入は停止する一方、内部液吸出手段２０が駆動することにより、吸出口１８ａを通じて使用済洗浄液ＷＬを吸出する（時点ｔ１２）。これにより、開口部４２近傍まで上昇した洗浄液ＷＬの液位は下降する。
【００４７】
使用済洗浄液ＷＬを完全に吸出したとき（図４に示した状態と同じような状態になったとき）、内部液吸出手段２０が駆動を停止して使用済洗浄液ＷＬの吸出を停止する一方、駆動手段が駆動してノズル１０が待機位置に向かって退避移動する（時点ｔ１３）。その後、退避移動するノズル１０が待機位置に到達すると、駆動手段が停止してノズル１０の退避移動は停止する（時点ｔ１４）。これにより、洗浄装置による希釈容器４０の内部の洗浄は終了する。
【００４８】
以上のように、本発明の実施例に係る洗浄方法によれば、希釈容器４０の内部と、所定の待機位置（希釈容器４０の外部）との間で、ノズル１０を進出移動および退避移動させることにより、洗浄液ＷＬの液位を変動させて希釈容器４０の内部を洗浄することができるので、つねに内部液を吸出する必要がなく、洗浄に要する洗浄液の量を低減させることができる。従って、洗浄効率を十分に高いものにすることができる。
【００４９】
以上、本発明の好適な実施例について説明したが、本発明はこれに限定されることはなく種々の変更を行うことができる。例えば、上記実施例に係る洗浄方法では、希釈容器４０の内部と外部との間でノズル１０を往復移動させたが、本発明では、ノズルが容器の内部と外部とで往復移動する態様で、容器を移動させてもよい。これによっても、容器の内部に注入された洗浄液の液位を変動させて該容器の内部を洗浄することができる。その結果、つねに内部液を吸出する必要がなく、洗浄に要する洗浄液の量を低減させることができ、洗浄効率を十分に高いものにすることができる。
【産業上の利用可能性】
【００５０】
以上のように、本発明に係る容器の洗浄方法は、例えば検体や試薬等を水で希釈するために用いられる希釈容器の洗浄に有用である。
【図面の簡単な説明】
【００５１】
【図１】本発明の実施例に係る洗浄方法を実施するための洗浄装置を希釈容器に適用した状態を拡大して簡略的に示したものであり、その一部を断面で表した拡大断面側面図である。
【図２】図１における洗浄装置が希釈容器の内部を洗浄する状態を概略的に示した概略図である。
【図３】図１における洗浄装置が希釈容器の内部を洗浄する状態を概略的に示した概略図である。
【図４】図１における洗浄装置が希釈容器の内部を洗浄する状態を概略的に示した概略図である。
【図５】図１における洗浄装置が希釈容器の内部を洗浄する状態を概略的に示した概略図である。
【図６】図１における洗浄装置が希釈容器の内部を洗浄する状態を概略的に示した概略図である。
【図７】図１における洗浄装置が希釈容器の内部を洗浄する場合のタイムチャートである。
【図８】従来の洗浄装置を希釈容器に適用した状態を拡大して簡略的に示したものであり、その一部を断面で表した拡大断面側面図である。
【図９】図８における洗浄装置が希釈容器の内部を洗浄する場合のタイムチャートである。
【符号の説明】
【００５２】
１０    ノズル
１１    ノズル本体
１１ａ    先端部
１１ｃ    中心軸
１１ｄ    当接部位
１２    吸出配管
１３    注入配管
１４    突出部
１５    弾性部材
１６    支持アーム
１７    テーパー部
１８ａ    吸出口
１８ｂ    注入口
２０    内部液吸出手段
３０    洗浄液注入手段
４０    希釈容器
４１    内底部
４２    開口部
【図１】
2005034769.tif 000003
【図２】
2005034769.tif 000004
【図３】
2005034769.tif 000005
【図４】
2005034769.tif 000006
【図５】
2005034769.tif 000007
【図６】
2005034769.tif 000008
【図７】
2005034769.tif 000009
【図８】
2005034769.tif 000010
【図９】
2005034769.tif 000011